(57)【特許請求の範囲】
【請求項１】
携帯電話装置の外観部に文字、画像等のデータを転写するデータ転写装置において、
外部から転送された文字、画像等の転写用データ、又は予め用意されている文字、画像等の転写用データを記憶する記憶手段と、
前記携帯電話装置の外観部にデータを熱転写するサーマルヘッドと、
前記記憶手段より前記転写用データを読み出し、該転写用データに基づいて前記サーマルヘッドを駆動し、前記携帯電話装置の外観部に前記転写用データを転写する制御手段と、
を前記携帯電話装置の充電器の筐体内部に設けたことを特徴とするデータ転写装置。
【請求項２】
前記充電器により前記携帯電話装置に充電中に前記転写用データの前記携帯電話装置への熱転写を行うことを特徴とする請求項１に記載のデータ転写装置。
【請求項３】
前記データ転送装置の記憶手段に転送される転写用データは、パーソナルコンピュータより供給されることを特徴とする請求項１又は２に記載のデータ転写装置。
【請求項４】
前記データ転送装置の記憶手段に転送される転写用データは、前記携帯電話装置より供給されることを特徴とする１又は２に記載のデータ転写装置。
【発明の詳細な説明】
【０００１】
【発明の属する技術分野】
本発明は、筐体の外観部に文字、画像等のデータを転写できる携帯電話装置に使用するデータ転写装置に関する。
【０００２】
【従来の技術】
特開平９−１９１３３８号公報には、外装を容易に交換することができる携帯電話機構造に関する発明が記載されている。この携帯電話機構造は、携帯電話機の内部筐体を成して送話・受話の制御を行う通信制御部と、通信制御部を包装して携帯電話機の外装を成し、必要に応じて容易に交換することが可能な意匠外装部とを備えたものである。すなわち、携帯電話端末の内部筐体に、シート状の意匠外装部をかぶせることにより、外装の交換を可能にしている。
これにより、例えばユーザーがその外装に飽きたときに容易に変更することが可能になっている。
【０００３】
【発明が解決しようとする課題】
特開平９−１９１３３８号公報に記載の携帯電話機の場合、ユーザーがその外装に飽きたときには、新たな外部筐体を購入する必要がある。また、外部筐体を交換した後で、元の筐体を廃棄することにより環境に多大な影響を与えるという問題が有った。
本発明はこのような事情に鑑みてなされたものであり、ユーザが筐体の外装に飽きることなく、ランニングコストが安価で、かつ省資源化が図れる携帯電話装置に使用するデータ転写装置を提供することを目的とする。
【０００４】
【課題を解決するための手段】
上記目的を達成するために、本発明は、以下の手段を採用した。
【０００５】
本発明は、携帯電話装置の外観部に文字、画像等のデータを転写するデータ転写装置において、外部から転送された文字、画像等の転写用データ、又は予め用意されている文字、画像等の転写用データを記憶する記憶手段と、前記携帯電話装置の外観部にデータを熱転写するサーマルヘッドと、前記記憶手段より前記転写用データを読み出し、該転写用データに基づいて前記サーマルヘッドを駆動し、前記携帯電話装置の外観部に前記転写用データを転写する制御手段と、を前記携帯電話装置の充電器の筐体内部に設けたことを特徴とする。
【０００７】
また、前記充電器により前記携帯電話装置に充電中に前記転写用データの前記携帯電話装置への熱転写を行うことを特徴とする。
【０００８】
また、請前記データ転送装置の記憶手段に転送される転写用データは、パーソナルコンピュータより供給されることを特徴とする。
【０００９】
また、前記データ転送装置の記憶手段に転送される転写用データは、前記携帯電話装置より供給されることを特徴とする。
【００１０】
【発明の実施の形態】
以下、本発明の実施の形態を、図面を参照して詳細に説明する。図１に示す本発明の実施の形態に係る携帯電話装置１は、筐体１Ａの外観部に熱可逆性表示層を有する外装を有し、熱転写により上記外観部に文字、画像等のデータを表示可能に構成されている。携帯電話装置１の筐体１Ａの背面は、図３に示すように、筐体を構成する基板１０上に熱可逆性表示層１１が形成されており、熱可逆性表示層１１の上には保護膜が形成されている。ここで、熱可逆性表示層とは、所定の第１の温度領域（１２０℃〜２４０℃）に加熱することにより加熱箇所に応じて変形して文字、画像等のデータが記録され、第２の温度領域（６０℃〜１６０℃）に加熱することにより元の状態（変形前の）に復帰して、記録されたデータが消去される特性を有する材料で形成された表示層をいう。
【００１１】
また、上記携帯電話装置１の外観部に文字、画像等のデータを転写するデータ転写装置は、本実施の形態では、例えば図１に示すように携帯電話装置１に内蔵されたバッテリを充電する充電器２の筐体内部に設けられている。この充電器２内に設けられたデータ転写装置は接続ケーブル４を介して外部機器、例えば、パーソナルコンピュータ（ＰＣ）等と接続可能に構成されており、外部機器より携帯電話装置１の外観部に転写する転写用データを供給するようになっている。
【００１２】
また、充電器２の筐体２０にはデータ転写動作を指示する操作スイッチ（図示せず）が設けられており、この操作スイッチを操作することにより、予め記憶されている転写用データを、外部機器を使用することなく、携帯電話装置１に転写することができるようになっている。
充電器２の筐体２０の上部には携帯電話装置１を充電時にする凹状に形成された載置部２１が設けられている。
【００１３】
図２に図１に示す充電器２の載置部２１に携帯電話装置１を載置した際におけるＸ−Ｘ切断線による横断面を示す。同図に示すように、充電器２の筐体２０内に載置部２１とほぼ平行な平面上にに文字、画像等のデータを熱転写するサーマルヘッド２２が配設されている。サーマルヘッド２２は上記載置部２１と冷え高な平面上に行列状に発熱素子が配列されて構成され、転写用データに基づいて発熱素子を駆動することにより携帯電話装置１へのデータの熱転写が行なわれるようになっている。
【００１４】
次に、本発明の実施の形態に係るデータ転写装置の電気的構成を図４に示す。同図において、充電器２に内蔵された本実施の形態に係るデータ転送装置は、各種プログラム及び固定データが記憶されているＲＯＭ２００と、外部インターフェース２０２と、外部インターフェース２０２を介して入力され、携帯電話装置１に印刷する文字、画像等の転写用データ、又は予め用意された文字、画像などの転写データが一時的に格納されるＲＡＭ２０４と、サーマルヘッド２０６と、サーマルヘッド２０６を駆動する駆動回路２０８と、通電端子２１０と、通電端子２１０を介して携帯電話装置１を充電すると共に、駆動回路２０８に駆動電圧を供給する電源回路２１２と、携帯電話装置１に転写用データを熱転写するサーマルヘッド２０６の周囲温度を検出する温度センサ２１４と、温度センサ２１４の出力をＡ／Ｄ変換するＡ／Ｄ変換器２１６と、ＲＯＭ２００に記憶されているプログラムに基づいて各部を制御するＣＰＵ２１８とを有している。
【００１５】
温度センサ２１４は、図２には図示していないが、サーマルヘッドの近傍に配設されている。ＲＡＭ２０４は本発明の記憶手段に、ＣＰＵ２１８は本発明の制御手段に、それぞれ相当する。
【００１６】
本実施の形態に係るデータ転写装置では、外部機器としてパーソナルコンピュータ（ＰＣ）３より外部インターフェース２０２を介してユーザの好みの任意のデザインの文字、画像等の転写用データをＲＡＭ２０４に読み込ませることができるようになっている。
また、本実施の形態に係るデータ転写装置では、充電器２により携帯電話装置１に充電する際に、同時に携帯電話装置１の外観部にＲＡＭ２０４に転送した転写用データを熱転写するように構成されている。
【００１７】
上記構成において、充電器２より携帯電話装置１に対して充電中に、ユーザは、パーソナルコンピュータ３を操作して、所望のデザインの文字、画像等の転写用データを充電器２に内蔵されたデータ転写装置に転送すると、データ転写装置内のＣＰＵ２１８は、外部インターフェース２０２を介して取り込み、ＲＡＭ２０４に格納する。
【００１８】
次いで、パーソナルコンピュータ３よりデータ転写装置に対し印刷すべき旨、指示するコマンドがデータ転写装置に出力されるか、又は充電器２の筐体２０に設けられた操作スイッチ（図示せず）を操作することにより、ＣＰＵ２１８は、ＲＡＭ２０４に転送された、または予め記憶されている転写用データに基づいて駆動回路２０８を介してサーマルヘッド２０６を駆動制御することにより携帯電話装置１の筐体１Ａの背面に形成された熱可逆性記録層１１を上記転写データに応じて第１の温度領域（１２０℃〜２４０℃）に加熱し、携帯電話装置１の背面に前記転写用データを熱転写する。
【００１９】
携帯電話装置１の筐体１Ａ背面に記録されたデータを消去する場合には熱可逆性記録層をサーマルヘッド２０６を第２の温度領域（６０℃〜１６０℃）に加熱するように駆動制御することにより簡単に消去することができる。サーマルヘッドの加熱温度は、温度センサ２１４により検知され、Ａ／Ｄ変換器２１６を介して取り込まれ、ＲＡＭ２０４の所定の領域に書き込まれる。ＣＰＵ２１８はＲＡＭ２０４に記憶された温度データを参照して転写用データの記録または消去に必要な温度となるようにサーマルヘッド２０６を駆動制御する。
【００２０】
本実施の形態では、携帯電話装置１に熱転写する転写用データをパーソナルコンピュータ３より供給するようにしたが、これに限らず、充電器２に接続された携帯電話装置１より供給するようにしてもよい。
本実施の形態では、データ転写装置を充電器２に内蔵するようにしたが、これに限らず、携帯電話装置１にデータ転写機能をもたせるようにしてもよい。さらに、データ転写装置自体は、充電器２に内蔵せず、個別の装置とするように構成してもよい。
【００２１】
本実施の形態では、ユーザーが携帯電話装置１内のバッテリを充電する際に携帯電話装置１の筐体１Ａの背面にどのような外装印刷にするかをパーソナルコンピュータ３（または携帯電話装置１）から設定することにより、充電が完了するまでの間に外装の印刷が完了する。
この印刷工程（熱転写工程）は、充電を行なう何れのタイミングで行なっても良い。
【００２２】
本実施の形態に係る携帯電話装置によれば、筐体の外観部に熱可逆性表示層を有する外装を有し、熱転写により文字、画像等のデータを表示可能に構成したので、熱転写手段により任意の文字、画像等のデータを転写、消去することができ、外観部に転写するデータを容易に変更することができる。
【００２３】
また、本実施の形態に係るデータ転写装置によれば、充電器にデータ転写装置を内蔵し、ユーザが外部機器を介して任意に転写用データを設定することができるようにしたので、筐体の外観部に熱可逆性表示層が形成された外装を有する携帯電話装置に、バッテリ充電時に所望の転写用データを転写することができると共に、携帯電話装置に印刷するデータを任意に変更することができ、ユーザは飽きがこないと共に、携帯電話装置の印刷内容を変更するのに外装を交換する必要がないために省資源化が図れ、また、ランニングコストの低減が図れる。
【００２４】
データ転送装置を充電器に内蔵させているので、あらたにデータ転送装置を必要としない。
また、充電器２の筐体２０に設けた操作スイッチを操作することによりＲＡＭ等の記憶手段に予め記憶されている転写用データを携帯電話装置に転写することができる。
【００２５】
【発明の効果】
以上に説明したように、本発明は、以下の効果を奏する。
【００２６】
本発明に係るデータ転写装置によれば、充電器にデータ転写装置を内蔵し、ユーザが外部機器を介して任意に転写用データを設定することができるようにしたので、筐体の外観部に熱可逆性表示層が形成された外装を有する携帯電話装置に所望の転写用データを転写することができると共に、携帯電話装置に印刷するデータを任意に変更することができ、ユーザは飽きがこないと共に、携帯電話装置の印刷内容を変更するのに外装を交換する必要がないために省資源化が図れ、また、ランニングコストの低減が図れる。
【図面の簡単な説明】
【図１】  本発明の実施の形態に係る携帯電話装置とデータ転写装置の外観構成を示す斜視図。
【図２】  データ転写装置としての充電器に携帯電話装置を載置した状態を示す断面図。
【図３】  本発明の実施の形態に係る携帯電話装置の外装の構造を示す断面図。
【図４】  本発明の実施の形態に係るデータ転写装置の構成を示すブロック図。
【符号の説明】
１  携帯電話装置
２  充電器（データ転送装置）
３  パーソナルコンピュータ（ＰＣ）
２００  ＲＯＭ
２０２  外部インターフェース
２０４  ＲＡＭ
２０６  サーマルヘッド
２０８  駆動回路
２１０  通電端子
２１２  電源回路
２１４  温度センサ
２１６  Ａ／Ｄ変換器
２１８  ＣＰＵ
【図１】
0004414112.tif 000002
【図２】
0004414112.tif 000003
【図３】
0004414112.tif 000004
【図４】
0004414112.tif 000005